(57)【要約】【課題】同報メール送信失敗時、ユーザが宛先の編集を行うことなく未送信の宛先にメールを送信することができることにある。【解決手段】携帯電話機１は、同報メールの送信中に、メール送信失敗時（この場合は相手先が存在しない場合）に、その失敗した宛先を除く未送信の宛先を新たな同報メールの宛先として設定している。また、携帯電話機１は、同報メールの送信中に、メール送信失敗時（この場合は、通信異常の場合）に、その失敗した宛先の削除の有無を促すメッセージを表示し、削除が選択されると失敗した宛先を除く未送信の宛先を新たな同報メールの宛先として設定している。【選択図】　　　図６
2004086329.tif 000002
【特許請求の範囲】
【請求項１】
同報メールを送信する携帯電話を備えた同報メール送信失敗時再編集方式であって、
前記携帯電話機は、前記同報メールの送信中に、メール送信失敗の送信結果を受信した場合にその失敗した宛先を除く未送信の宛先を新たな同報メールの宛先として設定する設定手段を有することを特徴とする同報メール送信失敗時再編集方式。
【請求項２】
前記メール送信失敗の送信結果は、相手先が存在しないことを示していることを特徴とする請求項１記載の同報メール送信失敗時再編集方式。
【請求項３】
同報メールを送信する携帯電話を備えた同報メール送信失敗時再編集方式であって、
前記携帯電話機は、前記同報メールの送信中に、メール送信失敗の送信結果を受信した場合にその失敗した宛先の削除の有無の選択を促すメッセージを表示する選択手段と、
前記削除手段により削除が選択されると前記失敗した宛先を除く未送信の宛先を新たな同報メールの宛先として設定する設定手段を有することを特徴とする同報メール送信失敗時再編集方式。
【請求項４】
前記メール送信失敗の送信結果は、通信異常で送信できなったことを示していることを特徴とする請求項３記載の同報メール送信失敗時再編集方式。
【請求項５】
前記設定手段による設定後にメール作成を行う画面に戻る戻り手段を有することを特徴とする請求項１または３記載の同報メール送信失敗時再編集方式。
【請求項６】
前記同報メールの宛先は、前記携帯電話機でのメール作成時の画面上で設定する複数のメールアドレスであることを特徴とする請求項１または３記載の同報メール送信失敗時再編集方式。
【請求項７】
同報メールを送信する携帯電話における同報メール送信失敗時再編集方法であって、
前記携帯電話機は、前記同報メールの送信中に、メール送信失敗の送信結果を受信した場合にその失敗した宛先を除く未送信の宛先を新たな同報メールの宛先として設定することを特徴とする同報メール送信失敗時再編集方法。
【請求項８】
前記メール送信失敗の送信結果は、相手先が存在しないことを示していることを特徴とする請求項７記載の同報メール送信失敗時再編集方法。
【請求項９】
同報メールを送信する携帯電話における同報メール送信失敗時再編集方法であって、
前記携帯電話機は、前記同報メールの送信中に、メール送信失敗の送信結果を受信した場合にその失敗した宛先の削除の有無の選択を促すメッセージを表示し、前記メッセージを基に削除が選択されると前記失敗した宛先を除く未送信の宛先を新たな同報メールの宛先として設定することを特徴とする同報メール送信失敗時再編集方法。
【請求項１０】
前記メール送信失敗の送信結果は、通信異常で送信できなったことを示していることを特徴とする請求項９記載の同報メール送信失敗時再編集方法。
【請求項１１】
前記同報メールの宛先は、前記携帯電話機でのメール作成時の画面上で設定する複数のメールアドレスであることを特徴とする請求項７または９記載の同報メール送信失敗時再編集方法。
【請求項１２】
前記携帯電話機は、前記新たな同報メールの宛先と設定した後にメール作成を行う画面に戻ることを特徴とする請求項８または９記載の同報メール送信失敗時再編集方法。
【発明の詳細な説明】
【０００１】
【発明の属する技術分野】
本発明は、同報メール送信失敗時再編集方式に関し、特に、同報メール送信時の宛先の取り扱いにおける携帯電話機での同報メール送信失敗時再編集方式に関する。
【０００２】
【従来の技術】
従来の携帯電話機では、同報メール送信（同時に複数の宛先にメールを送る機能）で送信失敗が発生し、再びメールを送信する場合は、メールの再編集機能を使用して送信失敗および未送信宛先へメールを送信するが、この場合のメールの再編集機能を使用した再編集のメール作成では、初めに同報メールとして設定した宛先が設定されている。
【０００３】
【発明が解決しようとする課題】
しかしながら、従来の携帯電話機では、送信不可のため不要な宛先を削除する場合には、ユーザの宛先編集により宛先を削除しなければならない。更に、同報メールとして設定した宛先が多い程、従来技術の携帯電話機におけるユーザの宛先編集は面倒な作業となるという問題点がある。
【０００４】
本発明の目的は、同報メール送信失敗時、ユーザが宛先の編集を行うことなく未送信の宛先にメールを送信することができることにある。
【０００５】
【課題を解決するための手段】
上記目的を達成するために、本発明の第１の同報メール送信失敗時再編集方式は、同報メールを送信する携帯電話を備えた同報メール送信失敗時再編集方式であって、前記携帯電話機は、前記同報メールの送信中に、メール送信失敗の送信結果を受信した場合にその失敗した宛先を除く未送信の宛先を新たな同報メールの宛先として設定する設定手段を有することを特徴としている。
【０００６】
更に、上記の第１の同報メール送信失敗時再編集方式において、前記メール送信失敗の送信結果は、相手先が存在しないことを示していることを特徴としている。
【０００７】
また、本発明の第２の同報メール送信失敗時再編集方式は、同報メールを送信する携帯電話を備えた同報メール送信失敗時再編集方式であって、前記携帯電話機は、前記同報メールの送信中に、メール送信失敗の送信結果を受信した場合にその失敗した宛先の削除の有無の選択を促すメッセージを表示する選択手段と、前記削除手段により削除が選択されると前記失敗した宛先を除く未送信の宛先を新たな同報メールの宛先として設定する設定手段を有することを特徴としている。
【０００８】
更に、上記の第２の同報メール送信失敗時再編集方式において、前記メール送信失敗の送信結果は、通信異常で送信できなったことを示していることを特徴としている。
【０００９】
更に、上記の第１または第２の同報メール送信失敗時再編集方式において、前記設定手段による設定後にメール作成を行う画面に戻る戻り手段を有することを特徴としている。
【００１０】
更に、上記の第１または第２の同報メール送信失敗時再編集方式において、前記同報メールの宛先は、前記携帯電話機でのメール作成時の画面上で設定する複数のメールアドレスであることを特徴としている。
【００１１】
また、本発明の第１の同報メール送信失敗時再編集方法は、同報メールを送信する携帯電話における同報メール送信失敗時再編集方法であって、前記携帯電話機は、前記同報メールの送信中に、メール送信失敗の送信結果を受信した場合にその失敗した宛先を除く未送信の宛先を新たな同報メールの宛先として設定することを特徴としている。
【００１２】
更に、上記の第１の同報メール送信失敗時再編集方法において、前記メール送信失敗の送信結果は、相手先が存在しないことを示していることを特徴としている。
【００１３】
また、本発明の第２の同報メール送信失敗時再編集方法は、同報メールを送信する携帯電話における同報メール送信失敗時再編集方法であって、前記携帯電話機は、前記同報メールの送信中に、メール送信失敗の送信結果を受信した場合にその失敗した宛先の削除の有無の選択を促すメッセージを表示し、前記メッセージを基に削除が選択されると前記失敗した宛先を除く未送信の宛先を新たな同報メールの宛先として設定することを特徴としている。
【００１４】
更に、上記の第２の同報メール送信失敗時再編集方法において、前記メール送信失敗の送信結果は、通信異常で送信できなったことを示していることを特徴としている。
【００１５】
更に、上記の第１または第２の同報メール送信失敗時再編集方法において、前記同報メールの宛先は、前記携帯電話機でのメール作成時の画面上で設定する複数のメールアドレスであることを特徴としている。
【００１６】
更に、上記の第１または第２の同報メール送信失敗時再編集方法において、前記携帯電話機は、前記新たな同報メールの宛先と設定した後にメール作成を行う画面に戻ることを特徴としている。
【００１７】
【発明の実施の形態】
次に、本発明の実施の形態について図面を参照して説明する。
【００１８】
図１を参照すると、本発明の実施の形態を示すシステム構成図であって、このシステムは、携帯電話機１と、携帯電話機２と、基地局３を備えた移動通信網４とから構成されている。なお、携帯電話機１と携帯電話機２とは、移動通信網４の通信業者と契約したユーザが所有する電子メールの送受信のできる携帯電話であって、説明の都合上、電子メールの送信側を携帯電話機１とし、電子メールの受信側を携帯電話機２としている。
【００１９】
図１の移動通信網４は、基地局３、図示していない交換局、図示していない電子メール制御を行うメールサーバ、およびこれらを結ぶ図示していない通信網によって構成される。
【００２０】
図２を参照すると、携帯電話機１，２の内部の構成を示す。すなわち、携帯電話機１，２は、図示していないプロセッサ（ＣＰＵ）によりプログラム制御で動作する制御部１１と、送信内容およびメール送信結果を記憶している送信一時記憶部１２と、メールの内容を保存する送信記憶部１９と、基地局３と無線による送受信を行う無線部１３と、表示部１４と、メールの作成、メールの編集等を行うための操作キー等からなる入力部１５と、音声をディジタル信号またはディジタル信号を音声に変換する通話部１６と、通話部１６からの音声を出力するスピーカ１７と、音声を入力するマイク１８と、から構成されている。なお、制御部１１は、図示していない記憶部（この場合の記憶部は、例えば、フラッシュメモリ等の不揮発性のメモリ）に格納しているプログラムを実行する。
【００２１】
図２の送信一時記憶部１２は、図示していないメモリ内にメール作成／送信時に一時的に割り当てられ、メール作成／送信時にメール内容（題名、本文）、宛先毎の送信結果を登録することで同報通信におけるやり取りが制御部１１により管理される。すなわち、送信一時記憶部１２は、メールの題名を保存する題名エリアと、本文の内容を保存する本文エリアと、宛先のメールアドレスを保存する宛先エリアと、送信結果を保存する送信結果エリアとを含んでいる。この場合のメモリは、不揮発性のメモリ（フラッシュメモリ）または揮発性のメモリ（例えば、ＲＡＭ）のどちらでも良い。
【００２２】
送信一時記憶部１２のデータは、入力部１５からの入力により制御部１１が動作することにより、メール内容（題名、本文）および同報メール宛先を獲得し、更に、制御部１１により無線部１３を介して各宛先のメール送信結果を獲得する。
【００２３】
図２の制御部１１は、無線部１３を使っての基地局３とのデータの送受信、表示部１４へ同報メール送信通知、入力部１５からのメールデータ（題名、本文、宛先）の獲得、送信一時記憶部１２からのメールデータの読み出し、表示部１４へのメール作成、メール編集のための表示を行う。
【００２４】
制御部１１は、メールの作成、送信、保存等の処理を行うため、表示部１４にメール作成画面を表示し、送信者にメールの編集を行わせる。メール作成画面上には、「題名」、「本文」、「宛先」、「送信」等のメニューボタンが表示され、それぞれのメニューボタンが選択されると、制御部１１は、そのボタンに対応した処理を行う。なお、「宛先」が選択された場合には、制御部１１は、送信一時記憶部１２の宛先エリアに設定されている未送信の宛先（送信結果エリアの内容がクリアされている場合が未送信となる）が全て表示される。また、「送信」が選択された場合には、制御部１１は、送信一時記憶部１２の宛先エリアに設定されている未送信の宛先（送信結果エリアの内容がクリアされている場合が未送信となる）に、送信一時記憶部１２の題名エリア、本文エリアの内容を含むメールを送信する。
【００２５】
次に、図６を参照して、本実施の形態における概要について説明する。
【００２６】
まず、携帯電話機１から携帯電話機２（２−１，２−２，２−３，２−４の４件の宛先）に対して同報メールを送信すると、通信状態正常でかつ宛先が存在している場合には、基地局３、移動通信網４に送信され、更に移動通信網４から基地局３を介して宛先の携帯電話機２へメールを送信する。移動通信網４は、基地局３を介して携帯電話機１へ同報メールの送信結果を順に通知する。例えば、４件の宛先に同報メールを送信し、２件目の宛先へのメール送信中に通信状態異常となった場合、もしくは２件目の宛先が存在しなかった場合のメール送信結果は、１件目が成功、２件目が送信失敗、３，４件目は未送信となるとする。２件目の送信失敗理由として、通信状態異常の場合は「通信異常」、宛先が存在しなかった場合は「宛先なし」とし、送信失敗理由が区別できるものとする。携帯電話機１の再編集機能によりメール作成画面に遷移する際、通信状態異常時は送信し終わった成功宛先を削除しメール作成画面へ（宛先は２件目から４件目が設定される）、宛先が存在しなかった場合は１件目の成功宛先および２件目の送信失敗宛先を削除してメール作成画面へ（宛先は３件目から４件目が設定される）遷移する。「通信異常」の場合には、削除をする／しないはユーザにより選択できることとする。すなわち、同報メール送信が途中で失敗した際、制御部１１は、送信失敗理由によりユーザに削除宛先を選定させ、メール作成画面での再編集により複数の未送信宛先へメールを送信できる。
【００２７】
次に、図１〜図５を参照して、図４、図５のフローチャートを中心に本実施の形態の動作について詳細に説明する。
【００２８】
送信者がメールを送信するために携帯電話機１の表示部１４に表示されるメニュー画面から送信メールの新規作成を選択すると、制御部１１は、送信一時記憶部１２にエリアを確保して表示部１４にメール作成画面を表示する（図４のステップＳ１０１，Ｓ１０２）。なお、送信一時記憶部１２にエリアが確保されるとは、送信一時記憶部１２の各エリア内がクリアされることを意味する。
【００２９】
なお、送信者がメールを送信するために携帯電話機１の表示部１４に表示されるメニュー画面からすでに保存されている保存メールを選択すると、制御部１１は、送信記憶部１９に選択された保存メールを送信一時記憶部１２にエリアに展開して表示部１４にメール作成画面を表示する（図４のステップＳ１０１，Ｓ１０３）。
【００３０】
メール作成画面が表示部１４に表示された後、送信者がメール作成画面上から「題名」を選択すると、制御部１１は、題名入力画面を表示部１４に表示し、題名を送信者に入力させる。送信者が題名入力画面に題名を入力部１５から入力すると、制御部１１は、入力部１５から入力された題名を送信一時記憶部１２の題名エリアに保存する（ステップＳ１０４，Ｓ１１１，Ｓ１１２）。
送信者がメール作成画面上から「本文」を選択すると、制御部１１は、本文編集画面を表示部１４に表示し、本文を送信者に作成（入力および編集）させる。送信者が本文編集画面を見ながら入力部１５から本文を作成すると、制御部１１は、入力部１５から作成された本文を送信一時記憶部１２の本文エリアに保存する（ステップＳ１０４，Ｓ１２１，Ｓ１２２）。
送信者がメール作成画面上から「宛先」を選択すると、制御部１１は、宛先入力画面を表示部１４に表示し、宛先を送信者に入力させる。送信者が宛先入力画面に宛先を入力部１５から複数入力（例えば、５件の宛先入力）すると、制御部１１は、入力部１５から入力された宛先であるメールアドレスを送信一時記憶部１２の宛先エリアに保存する（ステップＳ１０４，Ｓ１３１，Ｓ１３２）。なお、この場合の入力部１５から入力される宛先は、アドレスからメールアドレスを検索して入力しても良いし、入力部１５から直接メールアドレスを一字一句入力しても良い。
【００３１】
やがて、送信者が電子メールに必要な情報を入力部１５から入力して、メール作成画面上の「送信」を選択すると、制御部１１は、送信処理を行う（ステップＳ１０４，Ｓ２００）。
ステップＳ２００の送信処理における制御部１１は、送信一時記憶部１２の宛先エリアに登録されている宛先の順番に送信一時記憶部１２に格納されているメール内容（題名、本文）を読み出して、無線部１３を介して送信する（ステップＳ２０１）。
【００３２】
一件毎に移動通信網４から基地局３を介して送信結果が送られてくるが、１件目が成功すると、制御部１１は、送信結果を送信一時記憶部１２内の該当する宛先の送信結果エリアに「送信成功」として登録する（ステップＳ２０２，Ｓ２３１）。
【００３３】
すべての宛先に送信していないので、制御部１１は、ステップＳ２０１に戻る（ステップＳ２３２）。
【００３４】
更に、制御部１１は、送信一時記憶部１２の宛先エリアに登録されている次の宛先にメールを無線部１３を介して送信する（図５のステップＳ２０１）。
【００３５】
ステップＳ２０２において、移動通信網４から２件目の宛先への送信結果が「通信異常」で通知されると、制御部１１は、該当する宛先の送信結果エリア（この場合は２件目）に送信結果を登録し、該当する宛先以降（この場合は２〜５件目の宛先）の宛先を表示部１４に表示すると共に、該当する宛先の送信結果と該当する宛先削除の有無の選択を促すメッセージとを表示する（ステップＳ２２１，Ｓ２２２）。
送信者が画面表示に従って「削除」を選択すると、制御部１１は、該当する宛先を送信一時記憶部１２の宛先エリアから削除し（この場合は、３件目〜５件目までの宛先が未送信として格納されている）、送信者が画面表示に従って「削除しない」を選択すると、送信一時記憶部１２の宛先エリアに格納されている宛先をそのままにして（この場合は、２件目〜５件目までの宛先が未送信として格納されている）、送信作成画面を表示して図４のステップＳ１０４に戻り、送信者の編集待ちとなる（ステップＳ２２３，Ｓ２２４，Ｓ２２５）。この後、送信作成画面上でユーザが「宛先」を選択した場合、宛先入力画面上には、ステップＳ２０７において「削除」を選択した場合には送信一時記憶部１２の宛先エリアを基に３〜５件までの宛先が、ステップＳ２０７において「削除しない」を選択した場合には送信一時記憶部１２の宛先エリアを基に２〜５件までの宛先が、それぞれ制御部１１により同報メールの新たな宛先として設定されていることになるため、宛先を編集する必要はない。
【００３６】
一方、ステップＳ２０２において、送信結果が「宛先がなし」の場合には、携帯電話機１の制御部１１は、該当する宛先（この場合は２件目）が「宛先なし」であることを表示部１４に表示すると共に、該当する宛先の次の宛先以降（この場合は、３〜５件目の宛先）を新たな宛先として表示部１４に表示する（ステップＳ２１１，Ｓ２１２）。
【００３７】
送信者が確認を取ると、制御部１１は、表示部１４にメール作成画面を表示して、ステップＳ１０４に戻り、送信者の編集待ちとなる（ステップＳ２１３，Ｓ２２５）。この後、送信者が携帯電話機１の表示部１４に表示されている送信作成画面上で「宛先」を選択した場合、宛先入力画面上には、送信一時記憶部１２の宛先エリアを基に３〜５件までの宛先が同報メールの新たな宛先として制御部１１により設定されていることになるため、誤入力による宛先設定を除き、宛先を編集する必要はない。
【００３８】
この後、送信者が送信作成画面上で「宛先」を選択すると、携帯電話機１の制御部１１は、３件目以降の宛先への同報メールの送信処理を行う（図４のステップＳ２００）。
【００３９】
このようにして、携帯電話機１の制御部１１は、３件目以降もステップＳ２０１以降の処理を行うことで、同報通信の処理を行い、送信処理を終了する。
【００４０】
なお、図４のステップＳ３００のその他の処理に関しては、制御部１１が、その他編集処理、保存処理、終了処理等の処理を行うが、本発明の動作には影響しないので説明を省略する。
【００４１】
上記に説明したように、携帯電話機１の制御部１１が、同報メール送信失敗時（この場合は相手先が存在しない場合）に、その失敗した宛先を除く未送信の宛先を新たな同報メールの宛先として設定しているために、メール作成画面上で宛先編集を送信者に行わせることなく、同報メールを再送することができる。すなわち、同報メール失敗時においても同報メール機能が便利なものになる。
【００４２】
また、携帯電話機１の制御部１１が、同報メール送信失敗時（この場合は、通信異常の場合）に、その失敗した宛先の削除の有無を促すメッセージを表示し、削除が選択されると失敗した宛先を除く未送信の宛先を新たな同報メールの宛先として設定しているために、メール作成画面上で宛先編集を送信者に行わせることなく、同報メールを再送することができる。すなわち、同報メール失敗時においても同報メール機能が便利なものになる。
【００４３】
【発明の効果】
以上に説明したように、本発明は、携帯電話機が同報メール送信失敗の送信結果を受信した場合にその失敗した宛先の削除の有無の選択を促すメッセージを表示するようにしているため、送信者が送信失敗理由により削除する宛先を選定することができるという効果がある。
【００４４】
また、本発明は、携帯電話機において、通信状態異常により同報メール送信が失敗した場合は、メールの再編集を自動的に行えるように送信失敗宛先の送信の有無を考慮しかつ送信できなかった未送信の宛先を新たな同報メールの宛先として設定するようにしているため、ユーザによる送信した宛先の削除等の宛先の再編集を必要としないという効果がある。
【００４５】
また、本発明は、携帯電話機において、宛先が存在しないことにより同報メール送信が失敗した場合、その失敗した宛先を除く未送信の宛先を新たな同報メールの宛先として設定しているため、ユーザによる宛先の再編集の必要はなく、メールの再編集における宛先の再編集を自動的に設定することができるという効果がある。
【図面の簡単な説明】
【図１】本発明の実施の形態を利用したシステムの構成を示すシステム構成図である。
【図２】図１の携帯電話機内の構成を示すブロック図である。
【図３】図２の送信一時記憶部内の構成の一例を示す構成概略図である。
【図４】図１の携帯電話機がメール作成時における動作を示すフローチャートである。
【図５】図１の携帯電話機がメール送信時における動作を示すフローチャートである。
【図６】図１のシステムにおいて携帯電話機が同報メールを送信する場合の概要を示す概略図である。
【符号の説明】
１，２　　携帯電話機
３　　基地局
４　　移動通信網
１１　　制御部
１２　　送信一時記憶部
１３　　無線部
１４　　表示部
１５　　入力部
１６　　通話部
１７　　スピーカ
１８　　マイク
【図１】
2004086329.tif 000003
【図２】
2004086329.tif 000004
【図３】
2004086329.tif 000005
【図４】
2004086329.tif 000006
【図５】
2004086329.tif 000007
【図６】
2004086329.tif 000008